(57)【要約】      （修正有）【課題】格子を組子模様にした、１〜４体の組子箱容器をキュービック形状の４面に連続的に連ねた連結組子付き箱容器体からなる装飾的組子模様のシャンデリア型照明装置を提供する。【解決手段】天井から装飾的に吊り下げている笠付き箱容器に収納できる木製組子付き箱容器連結式シャンデリア風照明装置において、木製組子付き箱容器の連結体における主体多角柱（キュービック）状箱容器５は、周囲の面に特殊格子模様を呈した組子３を嵌め込み、上面の笠状体で吊り下げられるように取り付け、内部には収納可能な１〜６体の縮小型多角柱状組子箱容器７、８を、主体キュービック状箱容器の側面、及び下面に横方向、及び縦方向に連続的に連ねるように収納し、各装飾された多角柱状組子箱容器の内部には照明具４が取り付けられている。【選択図】図１
0003218366.tif 000002
【実用新案登録請求の範囲】
【請求項１】
天井から装飾的に吊り下げている笠付き箱容器に収納できる木製組子付き箱容器連結式シャンデリア風照明装置において、前記木製組子付き箱容器の連結体における主体多角柱状箱容器は、周囲の面に特殊格子模様を呈した組子を嵌め込み、上面の笠状体で吊り下げられるように取り付け、内部には収納可能な縮小型多角柱状組子箱容器の１〜６体を、主体多角柱状箱容器の側面、及び下面に横方向、及び縦方向に連続的に連ねるように収納されており、各装飾された多角柱状組子箱容器の内部に照明具を取り付けていることを特徴とする木製組子シャンデリア式照明装置。
【請求項２】
周囲の面に組子を嵌め込んでいる主体多角柱状箱容器は、四角柱状、六角柱状、八角柱状であって、各辺の長さと高さをそれぞれ３００〜１２００ｍｍ長さであって、４〜８面に嵌め込まれている組子を幅２〜１０ｍｍの木製の格子で組み立てられた特殊格子模様による組子模様体を呈して、周囲の４〜８面に嵌め込められた組子模様体は各面に同一、又は種々異質の前記模様を呈した組子模様体を施していることを特徴とする請求項１に記載の木製組子シャンデリア型照明装置。
【請求項３】
前記特殊格子模様を呈した組子の模様体は、麻の葉模様、胡麻殻模様、桜模様、植江模様、紗綾形崩し模様、井筒割菱模様、割菱つなぎ模様、三重菱模様、千本格子模様、升格子模様、青海波模様、七宝模様の中から選ばれた１〜８種類で、箱容器の多角柱体の周囲４〜８面にそれぞれ嵌め込まれていることを特徴とする請求項１又は請求項２に記載の木製組子シャンデリア型照明装置。
【請求項４】
主体キュービック状箱容器における上面を取り付けた笠板は、厚さ１０〜３０ｍｍで周囲を５０〜１５０ｍｍの幅で広くして中央部に空隙部にした周囲組子模様体を施した中空板材で、主体多角柱状箱容器の寸法より各周で５０〜１５０ｍｍ広くして、周囲部分に組子の模様体を施したものであって、主体キュービック状箱容器の底部は、３０〜８０ｍｍの幅で周囲に組子模様体を施して、周囲の各幅３０〜１００ｍｍ狭くした次の縮小型多角柱状組子箱容器を挿入できる空隙部を設けており、順次縮小型多角柱状組子箱容器の底部には、３０〜１００ｍｍの幅で周囲に組子模様体を施して、次の縮小型多角柱状組子箱容器を挿入できるようにしていることを特徴とする請求項１〜請求項３のいずれかに記載の木製組子シャンデリア型照明装置。
【請求項５】
前記主体多角柱状箱容器の内部に収納されている縮小型多角柱状組子箱容器体の１〜６体を横及び縦方向で連続的に連ねるようになっている各箱容器は、前記主体多角柱状体箱容器と同様な格子の組子模様体入り類似形にしており、寸法としては、段階的に５０〜１５０ｍｍ幅で小さくして、各箱容器を連続的に２／１０〜８／１０に縮小させたものであって、各箱容器の４〜８面の格子の組子模様は同一、又は異質の組子を施していることを特徴とする請求項１〜請求項４のいずれかに記載の木製組子シャンデリア型照明装置。
【請求項６】
多角柱状組子箱容器体の内部に取り付けている、放出される光を周辺の壁面に投影できるような構造としての照明の光源は、発光性の高いＬＥＤ，白熱電球、蛍光電球から選ばれたものであって、各多角柱状組子箱容器体の内部に当該光源を取り付けて、当該装置を、飾り照明、又は室内照明として、吊り下げ型のシャンデリア式設置型で使用できるようにしていることを特徴とする請求項１〜請求項５のいずれかに記載の木製組子シャンデリア型照明装置。
【考案の詳細な説明】
【技術分野】
【０００１】本考案は、多角柱形状の４面に格子の組子模様にした、組子箱容器の１〜４体を連続的に連ねる連結組子付き箱容器体であって、容器内に光源から放される光を組子に通して投影できる装飾的組子模様のシャンデリア型照明装置に関する。
【背景技術】
【０００２】  組子を使用した照明装置は既に採用されている。しかし、長方体、球形であって、しかも装飾性を増すために、和紙、或はプリントされた樹脂シートなどが貼られており、光源による投影などの効果をもたらしていない。また透明な化粧材として、銘木の突板（天然木単板）を例えば透明ガラス製の内部に埋設した化粧材が開発、利用された照明装置も存在している（特許文献１参照）。しかし、この種の照明装置の表面は、一般に表裏面の光沢や艶に欠ける他、光や熱に対して劣化し易く、耐候性や耐熱性等が不十分であるという欠点を有していた。【０００３】照明器具としてキュービック形状で、格子の組子模様にして、キュービック体の角の一箇所に照明の光源にして、照明の投影で組子の模様によるシルエット模様を周囲に演出でるようにし、さらに、店舗などの数種のデザイン性看板、装飾板になって、種々の組子模様によって、特有の格調を示す投影式組子付キュービック型照明装置において、キュービック形状であって、各６面に格子の組子模様３にして、キュービック体の角の一箇所に照明の光源にして、前記光源から放される光を周辺の壁面に投影できるような構造になっているものが提案されている（特許文献２参照）。【０００４】木製の格子状基本ユニットを格子接続棒にて連続した形状に結合することにより、自由なデザインが任意に形成できる立体格子組子による意匠部材を提供するにあたり、木材製棒状格子を連続組み立てして、縦横二方向に１０〜８０組連続的に形成した立方体の縦一方向の中間位置に正方体の連続格子体を組み込み、立方体の中心位置が正方体の格子交差点となるようにして、交差点から連結していない棒状格子を立体体外面の同位置まで張出した状態の格子状基本ユニットを構成する。その格子状基本ユニットを１〜３ユニット組み合わせた格子構成体を平面に使用して、上面に２〜１０ｍｍの厚さの透明板を全面、又は部分的に嵌合させて、下部の立体格子組子を装飾的に構成するものが提案されている（特許文献３参照）。【０００５】多角形形状で、格子の組子模様にして、多角形体の角の一箇所を照明の光源にして、前記光源から放される光を周辺の壁面に照明できる組子格子面を持つ型照明装置に、多角形の形状の照明器具の装飾側面において、当該側面の１〜９面に格子の組子模様３に、残り他面に彫り物板、或はデザイン性を持たせた格子を並べた板にして、多角形体の内部に照明の光源を置いて、前記光源から放される光を周辺の照明できるような構造になって、多角形形状は、縦、横、高さの長さがそれぞれ２００〜１８００ｍｍであって、幅０．６〜１５ｍｍの樹脂製、又は木製、金属製の格子を組み立てた、曲り模様、並びに幾何学模様の格子組子体２をもって、多角形形状の各１〜９面に同一、又は異質の前記模様３の組子体を組み入れた照明装置が提案されている（特許文献４参照）。【０００６】部屋数が少なく狭い間取りの多い日本の住宅事情をふまえ、襖を閉じた暗い部屋に、ほのかな採光を取り入れ、間接照明に似た照明効果を演出する襖であって、下張りを組子単位でその枠内を切り抜き、白い和紙で下張り袋張りをし、上張りをして仕上げる等の方法により採光を部屋に取り入れ、更に切り抜きを多彩にアレンヂ出来���ことから、従来の一般的な襖のイメージを一新し全く違った採光襖を造りだしたものが提案されている（特許文献５参照）。【０００７】  しかし木製の格子を使用した特殊組子を構成した連続的連なっているシャンデリア型の照明、装飾の機能を持つ照明装置は存在していない。
【先行技術文献】
【０００７】
【特許文献１】特公平８−１５５７０号公報
【特許文献２】実用新案登録第３１９２２７２号公報
【特許文献３】実用新案登録第３１９３７５２号公報
【特許文献４】実用新案登録第３２０３９９１号公報
【特許文献５】登録実用新案第３０６２２３０号公報
【考案の概要】
【考案が解決しようとする課題】
【０００８】洋風用ホテル、ホール、会場、応接間などの雰囲気作りに、シャンデリア様照明器具で装飾用、照明用と兼ねてガラス製、金属製などのものが設置されているが、しかし和風の旅館、ホール、ホテル、応接間にはガラス製のものは不似合いのこともある。組子模様の格子で、内面には照明によって組子の装飾性を浮き出るようにした特徴ある組子模様を配置しシャンデリア風の照明装置によって、照明と装飾模様で組子の模様による雰囲気を周囲に演出でるような照明を得ることが求められている。【０００９】木製組子を使用したシャンデリア風照明装置は既に採用されている。しかし、長方体、球形であって、しかも装飾性を増すために、和紙、或はプリントされた樹脂シートなどが貼られており、光源に効果をもたらしているものは存在していない。キュービック形状の４面に格子の組子模様にした、組子箱容器の１〜４体を連続的に連ねる連結組子付き箱容器体であって、容器内に光源から放される光を組子を通して投影できる装飾的組子模様のシャンデリア型照明装置が求められている。【０００９】さらに、目的は、和風の旅館、ホール、ホテル、応接間などの数種のデザイン性看板、装飾板になって、格子組子の木理を著しく鮮明に視認することができ、かつ組子に対して平行な表面を有する等、上記の種々の組子模様によって、従来品に無い特有の格調を有する装飾的組子模様のシャンデリア型照明装置を提供することにある。
【課題を解決するための手段】
【００１１】天井から装飾的に吊り下げている笠付き箱容器に収納できる木製組子付き箱容器連結式シャンデリア風照明装置において、前記木製組子付き箱容器の連結体における主体多角柱（キュービック）状箱容器は、周囲の面に特殊格子模様を呈した組子を嵌め込み、上面の笠状体で吊り下げられるように取り付け、内部には収納可能な縮小型多角柱（キュービック）状組子箱容器の１〜６体を、主体キュービック状箱容器の側面、及び下面に横方向、及び縦方向に連続的に連ねるように収納されており、各装飾された多角柱（キュービック）状組子箱容器の内部に照明具を取り付けている木製組子シャンデリア式照明装置である。【００１２】周囲の面に組子を嵌め込んでいる主体多角柱（キュービック）状箱容器は、四角柱状、六角柱状、八角柱状であって、各辺の長さと高さをそれぞれ３００〜１２００ｍｍ長さであって、４〜８面に嵌め込まれている組子を幅２〜１０ｍｍの木製の格子で組み立てられた特殊格子模様による組子模様体を呈して、周囲の４〜８面に嵌め込められた組子模様体は各面に同一、又は種々異質の前記模様を呈した組子模様体を施している【００１３】前記特殊格子模様を呈した組子模様体は、麻の葉模様、胡麻殻模様、桜模様、蜀江模様、紗綾形崩し模様、井筒割菱模様、割菱つなぎ模様、三重菱模様、千本格子模様、升格子模様、青海波模様、七宝模様の中から選ばれた１〜８種類で、箱容器の多角柱体の周囲４〜８面にそれぞれ嵌め込まれている。【００１４】主体多角柱（キュービック）状箱容器における上面を取り付けた笠板は、厚さ１０〜３０ｍｍで周囲を５０〜１５０ｍｍの幅で広くして中央部に空隙部にした周囲組子模様体を施した中空板材で、主体多角柱（キュービック）状箱容器の寸法より各周で５０〜１５０ｍｍ広くして、周囲部分に組子模様体を施したものであって、主体多角柱（キュービック）状箱容器の底部は、３０〜８０ｍｍの幅で周囲に組子模様体を施して、周囲の各幅３０〜１００ｍｍ狭くした次の縮小型多角柱（キュービック）状組子箱容器を挿入できる空隙部を設けており、順次縮小型多角柱（キュービック）状組子箱容器の底部には、３０〜１００ｍｍの幅で周囲に組子模様体を施して、次の縮小型多角柱（キュービック）状組子箱容器を挿入できるようにしている。【００１５】前記主体多角柱（キュービック）状箱容器の内部に収納されている縮小型多角柱（キュービック）状組子箱容器体の１〜６体を横及び縦方向で連続的に連ねるようになっている各箱容器は、前記主体多角柱状体箱容器と同様な格子の組子模様体入り類似形にしており、寸法としては、段階的に５０〜１５０ｍｍ幅で小さくして、各箱容器を連続的に２／１０〜８／１０に縮小させたものであって、各箱容器の４〜８面の格子の組子模様は同一、又は異質の組子を施している。【００１６】多角柱（キュービック）状組子箱容器体の内部に取り付けている、放出される光を周辺の壁面に投影できるような構造としての照明の光源は、発光性の高いＬＥＤ，白熱電球、蛍光電球から選ばれたものであって、各多角柱（キュービック）状組子箱容器体の内部に当該光源を取り付けて、当該装置を、飾り照明、又は室内照明として、吊り下げ型のシャンデリア式設置型で使用できるようにしている。
【考案の効果】
【００１７】多角柱形状の４面に格子の組子模様にした、組子箱容器の１〜４体を連続的に連ねる連結組子付き箱容器体であって、容器内に光源から放される光を組子に通して投影できる装飾的組子模様のシャンデリア型照明装置は、照明によって組子の装飾性を浮き出るようにした特徴ある組子模様を配置しシャンデリア風の装飾用照明装置によって、照明と装飾模様で組子の模様による雰囲気を周囲に演出でるような照明を得ている。【００１８】和風の旅館、ホール、ホテル、応接間などの数種のデザイン性看板、装飾板になって、格子組子の木理を著しく鮮明に視認することができ、かつ組子に対して平行な表面を有する等、上記の種々の組子模様によって、従来品に無い特有の格調を有する装飾的組子模様のシャンデリア型照明装置を提供することになった。
【図面の簡単な説明】
【００１９】
【図１】  木製組子シャンデリア型照明装置の斜視図  Ａ：上方向からの状況  Ｂ：下方向からの状況
【図２】  木製組子シャンデリア型照明装置における格子組子模様の図  Ａ：真金麻の葉模様、Ｂ：桐麻の葉模様、Ｃ：枡つなぎ模様、Ｄ：麻之葉模様、Ｅ：胡麻殻亀甲模様  Ｆ：桜亀甲模様
【図３】  木製組子シャンデリア型照明装置の主体多角柱箱状容器の部品と組み立ての図  Ａ：天蓋と光源、Ｂ：笠体、Ｃ：側板、Ｄ：底面の繋ぎ部、
【図４】  木製組子シャンデリア型照明装置部品の収納多角柱箱状容器−１の部品と組み立ての図  Ａ：収納多角柱状箱との繋ぎ具、Ｂ：笠体、Ｃ：側板、Ｄ：底面の繋ぎ部、
【図５】  木製組子シャンデリア型照明装置部品の収納キュービック箱状容器−２の部品と組み立ての図  Ａ：収納多角柱状箱との繋ぎ具、Ｂ：笠体、Ｃ：側板、Ｄ：底面の繋ぎ部、
【図６】  木製組子シャンデリア型照明装置を部屋に使用状態の斜視図
【考案を実施するための形態】
【００２０】本考案は、図１は、木製組子シャンデリア型照明装置の斜視図で、図２に格子組子の一状態図で、図３〜図５に木製組子シャンデリア型照明装置部品と組み立ての図を、図６に部屋の壁面に投影されている使用状態の図を示した。
【実施例１】
【００２１】図１のＡ，Ｂで示すように、天井から装飾的に吊り下げている笠付き箱容器に収納できる連結式木製組子付き箱容器のシャンデリア風照明装置において、前記連結式木製組子付き箱容器における主体多角柱（キュービック）状箱容器は、周囲の４面に組子を嵌め込み、上面に組子笠体を取り付け、内部には収納可能な多角柱（キュービック）状組子箱容器の２体を連続的に連ねるように収納されており、各装飾された多角柱（キュービック）状組子箱容器の内部に照明具を取り付けられるようにした木製組子シャンデリア式照明装置であった。【００２２】図３に示すように、周囲４面に組子を嵌め込んでいる主体多角柱（キュービック）状箱容器は、縦４００ｍｍ、横４００ｍｍ、高さ５００ｍｍの寸法であって、図２の組子を幅５ｍｍの木製の千本格子模様格子を組み立てられた特殊格子模様の組子を呈して、図３の部品の組み立てによって周囲の４面に嵌め込められた組子は各４面に同一の前記格子模様を呈した組子を施した。【００２３】前記格子模様を呈した組子は、図２の中から選ばれた千本格子模様、升格子模様の中から選ばれた２種類で、箱容器の多角柱（キュービック）体の周囲４面にそれぞれ嵌め込まれた。
主体多角柱（キュービック）状箱容器の上面を取り付けた組子形成の笠体は、高さ５０ｍｍで、主体多角柱（キュービック）状箱容器の寸法より各周で３０ｍｍ広くした四角面体様であって、前記笠体に升格子模様の格子模様の異なった組子を形成している四角枠体を３段に寸法の異なった順に順次積み立てて笠形状体を構成した。【００２４】前記主体多角柱（キュービック）状箱容器の内部に収納されている縮小型キュービック状組子箱容器体の２体を連続的に連ねるようになっている各箱容器は、図４と図５で部品を示すように主体箱容器と同様な格子組子入り類似形にしており、寸法としては、段階的に４０ｍｍに小さくして、６／１０に縮小したものであって、各箱容器の４面の格子模様は異質の組子を施した。【００２５】多角柱（キュービック）状組子箱容器体の内部に取り付けている、放出される光を周辺の壁面に投影できるような構造としての照明の光源は、発光性の高いＬＥＤであって、各多角柱（キュービック）状組子箱容器体の上部に当該光源として取り付けて、当該装置を、飾り照明として、図６に示すようにシャンデリア式設置型で使用できるようにした。この装置は今までない木製の温もりを持った照明装飾品となった。
【実施例２】
【００２６】実施例１と同様に天井から装飾的に吊り下げている笠付き箱容器に収納できる連結式木製組子付き箱容器のシャンデリア風照明装置において、前記連結式木製組子付き箱容器における主体多角柱（キュービック）状箱容器は、周囲の４面に組子を嵌め込み、上面に組子笠体を取り付け、内部には収納可能な多角柱（キュービック）状組子箱容器の２体を連続的に連ねるように収納されており、各装飾された多角柱（キュービック）状組子箱容器の内部に照明具を取り付けられるようになっている木製組子シャンデリア式照明装置にした。【００２７】周囲４面に組子を嵌め込んでいる主体多角柱（キュービック）について状箱容器は、縦、横、高さの寸法をそれぞれ６００ｍｍ長さであって、組子を幅２ｍｍと５ｍｍとの木製の格子を組み立てられた特殊格子模様の組子を呈して、各部品として、図３，４，５に示すように周囲の４面に嵌め込められた組子は各４面に同一、又は種々異質の前記格子模様を呈した組子を施した。【００２８】中心部に嵌め込む前記格子模様を呈した組子は、麻の葉模様、又は胡麻殻模様、又は桜模様の３種類で、箱容器の多角柱（キュービック）体の周囲４面には立体的組子をそれぞれ嵌め込んだ。【００２９】主体多角柱（キュービック）状箱容器の上面を取り付けた組子形成の笠体は、高さ１０〜ｍｍで、主体多角柱（キュービック）状箱容器の寸法より各周で３０ｍｍ広くした四角面体であって、前記笠体に格子模様の異なった組子を形成している四角枠体を３段に寸法の異なった順に順次積み立てて笠形状体を構成された。【００３０】図１に示すように前記主体多角柱（キュービック）状箱容器の内部に収納されているキュービック状組子箱容器体の１〜４体を連続的に連ねるようになっている各箱容器は、主体箱容器と同様な格子組子入り類似形にしており、寸法としては、段階的に５０ｍｍに小さくして、６／１０に縮小したものであって、各箱容器の４面の格子模様は同一、又は異質の組子を施した。【００３１】多角柱（キュービック）状組子箱容器体の内部に取り付けている、放出される光を周辺の壁面に投影できるような構造としての照明の光源は、発光性の高いＬＥＤであって、各多角柱（キュービック）状組子箱容器体の内部に当該光源を取り付けて、当該装置を、飾り照明、又は室内照明として、吊り下げ型のシャンデリア式設置型で使用できるようにした。図６に示すようにシャンデリア式設置型で使用できるようにした。この装置は今までない木製の温もりを持った照明装飾品となった。
【符号の説明】
【００３２】１．シャンデリア風照明装置
２．組子箱容器
３．組子模様
４．光源
５．主体多角柱（キュービック）状箱容器
６．笠体
７．収納多角柱（キュービック）状箱容器−１
８．収納多角柱（キュービック）状箱容器−２
９．天蓋
１０．側板
１１．底板と繋ぎ部
１２．収納多角柱（キュービック）状箱との繋ぎ具
１３．壁面
１４、投影状態
【図１】
0003218366.tif 000003
【図２】
0003218366.tif 000004
【図３】
0003218366.tif 000005
【図４】
0003218366.tif 000006
【図５】
0003218366.tif 000007
【図６】
0003218366.tif 000008